(57)【要約】【課題】異なる周囲光条件に適応するディスプレイを伴う電子装置を提供する。【解決手段】電子装置は、表示ピクセルのアレイを有すると共にディスプレイの動作をコントロールするディスプレイコントロール回路を有するディスプレイを備えている。ディスプレイコントロール回路は、ディスプレイの出力を周囲光条件に基づいて適応調整する。例えば、昼光により支配されるような寒色系の周囲光条件では、ディスプレイは、比較的寒色系の白を使用して中性色を表示する。屋内光源により支配されるような暖色系の周囲光条件においてディスプレイが動作するときには、ディスプレイは、比較的暖色系の白を使用して中性色を表示する。周囲光条件に適応させることは、ユーザの視覚が異なる周囲光条件に色彩的に適応するので、ユーザがディスプレイ上の色ずれを認知しないことを保証する。【選択図】図６
2016095487.tif 000002
【特許請求の範囲】
【請求項１】
表示光を放射するディスプレイの表示ピクセルのアレイに画像を表示するための方法において、
ディスプレイコントロール回路で、光センサからの周囲光情報を収集し；
前記周囲光情報に基づき周囲光へのユーザの色彩適応に対して表示光へのユーザの色彩適応を重み付けする適応ファクタを決定し；
前記適応ファクタに基づき中性色を決定し；及び
前記中性色に基づいて入力ピクセル値を調整して、適応入力ピクセル値を得る；
ことを含む方法。
【請求項２】
前記適応ファクタを決定することは、前記表示光の輝度に基づいて適応ファクタを決定することを含む、請求項１に記載の方法。
【請求項３】
前記適応ファクタは、０から１の範囲の値である、請求項１に記載の方法。
【請求項４】
ユーザとディスプレイスクリーンとの間の距離を指示する接近センサデータを接近センサから収集することを含み、前記適応ファクタは、前記距離に基づく、請求項１に記載の方法。
【請求項５】
前記周囲光情報は、周囲光の測定輝度レベルを指示し、そして前記適用ファクタは、前記測定輝度レベルに基づく、請求項１に記載の方法。
【請求項６】
前記ディスプレイは、第１及び第２のユーザ選択可能なモードで動作でき、そして前記適応ファクタは、前記ディスプレイが第１モードで動作するか又は第２モードで動作するかに基づく、請求項１に記載の方法。
【請求項７】
１日の時刻を決定することを更に含み、前記中性色の決定は、その１日の時刻に基づいて中性色を決定することを含む、請求項１に記載の方法。
【請求項８】
前記適応入力ピクセル値に一時的なフィルタを適用することを含む、請求項１に記載の方法。
【請求項９】
前記周囲光情報は、周囲光の色を指示し、そして前記中性色を決定することは、周囲光の色に基づいて中性色を決定することを含む、請求項１に記載の方法。
【請求項１０】
前記入力ピクセル値を調整することは、ＬＭＳ色空間において前記入力ピクセル値を調整することを含む、請求項１に記載の方法。
【請求項１１】
周囲光を検出する少なくとも１つの光センサと；
少なくとも第１及び第２のユーザ選択可能なモードで動作できるディスプレイであって、第１モードにおいてディスプレイにより表示される色は周囲光に基づいて決定されそして第２モードにおいてディスプレイにより表示される色は周囲光とは独立して決定されるようなディスプレイと；
前記ディスプレイが第１モードで動作されるときに周囲光に基づいて入力ピクセル値を調整するディスプレイコントロール回路と；
を備えた電子装置。
【請求項１２】
前記ディスプレイは、前記第１モードで動作されるときには第１セットの特性を有する中性色を表示し、そして前記第２モードで動作されるときには第２セットの特性を有する中性色を表示し、前記第１セットの特性は、前記第２セットの特性とは異なる、請求項１１に記載の電子装置。
【請求項１３】
前記光センサは、周囲光が寒色系か暖色系かを検出するカラー光センサを含む、請求項１１に記載の電子装置。
【請求項１４】
前記第１モードで動作する前記ディスプレイは、周囲光が暖色系であるときに暖色系の光で中性色を表示し、そして周囲光が寒色系であるときには寒色系の光で中性色を表示する、請求項１３に記載の電子装置。
【請求項１５】
ジャイロスコープを更に備え、前記少なくとも１つの光センサは、周囲光センサデータを収集する複数の光センサを含み、そして前記ディスプレイコントロール回路は、前記ジャイロスコープを使用して、前記複数の光センサからの周囲光センサデータをどのように重み付けするか決定する、請求項１１に記載の電子装置。
【請求項１６】
ディスプレイの表示ピクセルのアレイに画像を表示する方法において、
ディスプレイコントロール回路で、光センサからの周囲光情報を収集し、該周囲光情報は、周囲光が第１の色温度を有する光を放射する第１の光源により支配されるか又は第２の色温度を有する光を放射する第２の光源により支配されるか指示し、前記第１の色温度は、前記第２の色温度より低く；及び
周囲光が第１の光源により支配されることを前記周囲光情報が指示するときには第１の色の光を使用し、そして周囲光が第２の光源により支配されることを前記周囲光情報が指示するときには第２の色の光を使用して、前記ディスプレイコントロール回路で、前記ディスプレイを動作して中性色を表示し、前記第１の色の光は、前記第２の色の光より色温度が低い；
ことを含む方法。
【請求項１７】
前記第１の光源は、屋内光源であり、そして前記第２の光源は、昼光である、請求項１６に記載の方法。
【請求項１８】
前記中性色を表示するのに使用される第２の色の光は、所定ターゲットの白ポイントに基づく、請求項１６に記載の方法。
【請求項１９】
前記中性色を表示するのに使用される第１の色の光は、前記周囲光情報を使用してオンザフライで決定される適応中性ポイントに基づく、請求項１８に記載の方法。
【請求項２０】
接近センサで、前記ディスプレイに対するユーザの接近度を検出することを含み、前記中性色を表示するのに使用される第１の色の光は、前記ディスプレイに対するユーザの接近度に基づく、請求項１６に記載の方法。
【発明の詳細な説明】
【技術分野】
【０００１】
本発明は、一般的に、ディスプレイを伴う電子装置に関するもので、より詳細には、異なる周囲光条件に適応するディスプレイを伴う電子装置に関する。
【０００２】
（関連出願の相互参照）
本出願は、２０１５年３月３０日に出願された米国特許出願第１４／６７３，６８５号及び２０１４年１１月１７日に出願された米国プロビジョナル特許出願第６２／０８０，９３４号の優先権を主張するもので、これらは、参考としてここにそのまま援用される。
【背景技術】
【０００３】
人間の視覚系統の色彩適応機能は、異なる周囲光条件の下で人間が一定の色認知を一般的に維持できるようにする。例えば、太陽光で照射されたときに赤に見える物体は、屋内の電灯で照射されたときにも赤として認知される。
【０００４】
従来のディスプレイは、典型的に、異なる周囲光条件又は人間の視覚系統の色彩適応を考慮していない。その結果、ユーザは、異なる周囲光条件の下でディスプレイの望ましからぬ色ずれを認知することがある。例えば、ディスプレイの白ポイントは、屋外の周囲光条件ではユーザにとって白く見えるが、屋内環境においてユーザの目が屋内光源により発生される暖色系の光に適応するときにはユーザにとって青みを帯びて見える。
【発明の概要】
【発明が解決しようとする課題】
【０００５】
それ故、ディスプレイで画像を表示する改良された方法を提供できることが望まれる。
【課題を解決するための手段】
【０００６】
電子装置は、表示ピクセルのアレイを有すると共にディスプレイの動作をコントロールするディスプレイコントロール回路を有するディスプレイを備えている。ディスプレイコントロール回路は、ディスプレイからの出力を周囲光条件に基づいて適応調整する。
【０００７】
電子装置は、表示ピクセルのアレイを有すると共にディスプレイの動作をコントロールするディスプレイコントロール回路を有するディスプレイを備えている。ディスプレイコントロール回路は、ディスプレイの出力を周囲光条件に基づいて適応調整する。例えば、昼光により支配されるような寒色系の周囲光条件では、ディスプレイは、比較的寒色系の白を使用して中性色を表示する。屋内光源により支配されるような暖色系の周囲光条件においてディスプレイが動作するときには、ディスプレイは、比較的暖色系の白を使用して中性色を表示する。
【０００８】
ディスプレイコントロール回路は、ディスプレイの中性ポイントを調整することによりディスプレイからの出力を調整する。ディスプレイの中性ポイントは、白のような中性色を表示するときにディスプレイにより放射される色として定義される。ディスプレイコントロール回路は、ディスプレイの中性ポイントを、光センサにより収集された周囲光情報に基づいて調整する。
【０００９】
周囲光条件に適応させることは、ユーザの視覚が異なる周囲光条件に色彩的に適応するので、ユーザがディスプレイ上の色ずれを認知しないことを保証する。このように画像を適応調整することで、夕刻に暖色系の色を表示することにより人間の概日リズムに有益な作用を与えることもできる。
【００１０】
ユーザの視覚系統は、ユーザの付近の周囲光（例えば、ディスプレイにより放射される光、太陽又は電灯のような他の光源により放射される光、等）に色彩的に適応する。ディスプレイコントロール回路は、ユーザがどんな光に適応されるか決定する際に他の光源からの周囲光に対してディスプレイの光をどれほど強く重み付けするか指示する適応ファクタに基づいて適応中性ポイントを決定する。
【００１１】
もし要望があれば、ユーザは、適応ファクタを手動で選択及び／又は調整することができる。例えば、電子装置１０は、ペーパーモード、ハイブリッドモード及び通常モードのような異なるユーザ選択可能なモードで動作する。通常モードでは、適応ファクタは、ディスプレイの中性ポイントがターゲットの白ポイントに維持されるように１にセットされる。ペーパーモードでは、適応ファクタは、ディスプレイの中性ポイントが周囲光条件に対して適応調整されてディスプレイに画像のペーパー状の見掛けを維持するように０にセットされる。ハイブリッドモードでは、適応ファクタは、ディスプレイの中性ポイントがディスプレイの白ポイント及び周囲光条件の両方に依存するように０と１との間のある値にセットされる。
【００１２】
もし要望があれば、接近センサデータを使用して、ユーザとディスプレイとの間の距離を決定し、次いで、この距離を使用して、ユーザの色彩適応に対するディスプレイの光の貢献を決定することができる。
【００１３】
本発明の更に別の特徴、その性質及び種々の効果は、添付図面及び好ましい実施形態の以下の詳細な説明から明らかとなろう。
【図面の簡単な説明】
【００１４】
【図１】本発明の実施形態による周囲光適応ディスプレイを有するポータブルコンピュータのような電子装置を示す斜視図である。
【図２】本発明の実施形態による周囲光適応ディスプレイを有するセルラー電話又は他のハンドヘルド装置のような電子装置を示す斜視図である。
【図３】本発明の実施形態による周囲光適応ディスプレイを有するタブレットコンピュータのような電子装置を示す斜視図である。
【図４】本発明の実施形態による周囲光適応ディスプレイを有するコンピュータ内蔵のコンピュータモニタのような電子装置を示す斜視図である。
【図５】本発明の実施形態による周囲光適応ディスプレイが設けられた形式の電子装置を含む例示的システムの概略図である。
【図６】本発明の実施形態によるディスプレイ及びディスプレイコントロール回路を有する例示的電子装置の概略図である。
【図７】異なる周囲光条件に対して人間の視覚系統の色彩的適応を考慮しない従来のディスプレイを使用するときにユーザが望ましからぬ色ずれをどのように認知するかを示す図である。
【図８】本発明の実施形態によりディスプレイが現在周囲光条件に基づき適応中性ポイントをどのように有するか示す色度図である。
【図９】本発明の実施形態により周囲光条件に対して補償された画像を表示するのに含まれるステップを例示するフローチャートである。
【図１０】本発明の実施形態により適応中性ポイントを決定するのに含まれるステップを例示するフローチャートである。
【発明を実施するための形態】
【００１５】
電子装置、例えば、セルラー電話、メディアプレーヤ、コンピュータ、セットトップボックス、ワイヤレスアクセスポイント及び他の電子装置は、ディスプレイを備えている。ディスプレイは、視覚情報及び状態データを与えるのに使用され、及び／又はユーザ入力データを収集するのに使用される。
【００１６】
周囲光適応ディスプレイが設けられるタイプの例示的電子装置が図１に示されている。この電子装置１０は、コンピュータ、例えば、コンピュータモニタのようなディスプレイに一体化されるコンピュータ、ラップトップコンピュータ、タブレットコンピュータ、若干小さなポータブル装置、例えば、リストウオッチ装置、ペンダント装置、或いは他のウェアラブル又は小型装置、セルラー電話、メディアプレーヤ、タブレットコンピュータ、ゲーム機、ナビゲーション装置、コンピュータモニタ、テレビジョン、又は他の電子装置である。
【００１７】
図１に示したように、装置１０は、ディスプレイ１４のようなディスプレイを備えている。ディスプレイ１４は、容量性タッチ電極又は他のタッチセンサコンポーネントを合体するタッチスクリーンであるか、或いはタッチ感知でないディスプレイである。ディスプレイ１４は、発光ダイオード（ＬＥＤ）、有機発光ダイオード（ＯＬＥＤ）、プラズマセル、電気泳動ディスプレイ要素、エレクトロウエッティングディスプレイ要素、液晶ディスプレイ（ＬＣＤ）コンポーネント、或いは他の適当な画像ピクセル構造体から形成された画像ピクセルを含む。有機発光ダイオードピクセルを使用してディスプレイ１４を形成する構成をここでは時々一例として説明する。しかしながら、これは、単なる例示に過ぎない。ディスプレイ１４を形成するのに、必要に応じて、任意の適当な形式のディスプレイ技術が使用されてもよい。
【００１８】
装置１０は、ハウジング１２のようなハウジングを有する。時々、ケースとも称されるハウジング１２は、プラスチック、ガラス、セラミック、繊維組成物、金属（例えば、ステンレススチール、アルミニウム、等）、他の適当な材料、或いは２つ以上のそれら材料の組み合わせで形成される。
【００１９】
ハウジング１２は、ハウジング１２のある部分又は全部が単一構造体として加工され又は成形されるユニボディー構成を使用して形成されるか、或いは複数の構造体（例えば、内部フレーム構造体、ハウジング外面を形成する１つ以上の構造体、等）を使用して形成される。
【００２０】
図１に示すように、ハウジング１２は、複数の部分を有する。例えば、ハウジング１２は、上部１２Ａ及び下部１２Ｂを有する。上部１２Ａを下部１２Ｂに対して回転軸１６の周りで回転できるようにするヒンジを使用して、上部１２Ａが下部１２Ｂに結合される。ハウジングの部分１２Ｂにはキーボード１８のようなキーボード及びタッチパッド２０のようなタッチパッドがマウントされる。
【００２１】
図２の例では、装置１０は、ユーザの手の中に適合するに充分なほど小さいハウジングを使用して実施されている（例えば、図２の装置１０は、セルラー電話のようなハンドヘルド電子装置である）。図２に示すように、装置１０は、ハウジング１２の前部にマウントされたディスプレイ１４のようなディスプレイを備えている。ディスプレイ１４は、アクティブな表示ピクセルで実質的に埋められるか、又はアクティブな部分及びインアクティブな部分を有する。ディスプレイ１４は、ボタン２２を収容する開口及びスピーカポート２４を収容する開口のような開口（例えば、ディスプレイ１４のインアクティブ又はアクティブな部分の開口）を有する。
【００２２】
図３は、電子装置１０がタブレットコンピュータの形態で実施された構成の電子装置１０の斜視図である。図３に示すように、ディスプレイ１４は、ハウジング１２の上面（前面）にマウントされる。ディスプレイ１４には、ボタン２２を収容するための開口が形成される。
【００２３】
図４は、コンピュータモニタへと一体化されたコンピュータの形態で電子装置１０が実施された構成の電子装置１０の斜視図である。図４に示すように、ディスプレイ１４は、ハウジング１２の前面にマウントされる。スタンド２６は、ハウジング１２を支持するのに使用される。
【００２４】
図５は、装置１０の概略図である。図５に示したように、電子装置１０は、ストレージ及び処理回路４０のようなコントロール回路を備えている。ストレージ及び処理回路４０は、１つ以上の異なる形式のストレージ、例えば、ハードディスクドライブストレージ、不揮発性メモリ（例えば、フラッシュメモリ又は他の電気的にプログラム可能なリードオンリメモリ）、揮発性メモリ（例えば、スタティック又はダイナミックランダムアクセスメモリ）、等を含む。ストレージ及び処理回路４０の処理回路は、装置１０の動作をコントロールするのに使用される。処理回路は、１つ以上のマイクロプロセッサ、マイクロコントローラ、デジタル信号プロセッサ、基本帯域プロセッサ集積回路、特定用途向け集積回路、等に基づく。
【００２５】
１つの適当な構成では、ストレージ及び処理回路４０は、装置１０のソフトウェア、例えば、インターネットブラウジングアプリケーション、ｅメールアプリケーション、メディアプレイバックアプリケーション、オペレーティングシステム機能、画像捕獲及び処理のためのソフトウェア、センサデータの収集及び処理に関連した機能を実施するソフトウェア、ディスプレイの輝度及びタッチセンサの機能の調整を行うソフトウェア、等を実行するのに使用される。
【００２６】
外部装置との相互作用をサポートするために、ストレージ及び処理回路４０は、通信プロトコルを実施するのに使用される。ストレージ及び処理回路４０を使用して実施される通信プロトコルは、インターネットプロトコル、ワイヤレスローカルエリアネットワークプロトコル（例えば、ＷｉＦｉ（登録商標）とも称されるＩＥＥＥ  ８０２．１１プロトコル）、Ｂｌｕｅｔｏｏｔｈ（登録商標）プロトコルのような他の短距離ワイヤレス通信リンクのためのプロトコル、等を含む。
【００２７】
入力／出力回路３２は、ユーザ又は外部装置から装置１０へ入力を供給できるようにすると共に、装置１０からユーザ又は外部装置へ出力を供給できるようにするために使用される。
【００２８】
入力／出力回路３２は、ワイヤード及びワイヤレス通信回路３４を含む。この通信回路３４は、１つ以上の集積回路で形成された高周波（ＲＦ）トランシーバ回路、電力増幅回路、低ノイズ入力増幅器、受動的ＲＦコンポーネント、１つ以上のアンテナ、及びＲＦワイヤレス信号を取り扱うための他の回路を含む。ワイヤレス信号は、光を使用して（例えば、赤外線通信を使用して）送信することもできる。
【００２９】
入力／出力回路３２は、入力／出力装置３６、例えば、図２のボタン２２、ジョイスティック、クリックホイール、スクロールホイール、タッチスクリーン（例えば、図１、２、３又は４のディスプレイ１４は、タッチスクリーンディスプレイである）、他のタッチセンサ、例えば、トラックパッド又はタッチセンサベースのボタン、バイブレータ、オーディオコンポーネント、例えば、マイクロホン及びスピーカ、画像捕獲装置、例えば、画像センサ及びそれに対応するレンズシステムを有するカメラモジュール、キーボード、状態インジケータライト、トーンジェネレータ、キーパッド、並びにユーザ又は他の外部ソースから入力を収集し及び／又はユーザ又は外部装置のための出力を発生する他の装置を含む。
【００３０】
図５のセンサ３８のようなセンサ回路は、周囲光に関する情報を収集するための周囲光センサ、接近センサコンポーネント（例えば、光ベースの接近センサ及び／又は他の構造に基づく接近センサ）、加速度計、ジャイロスコープ、磁気センサ、及び他のセンサ構造体を含む。図５のセンサ３８は、例えば、１つ以上のマイクロエレクトロメカニカルシステム（ＭＥＭＳ）センサ（例えば、加速度計、ジャイロスコープ、マイクロホン、力センサ、圧力センサ、容量性センサ、又はマイクロエレクトロメカニカルシステム装置を使用して形成された他の適当な形式のセンサ）を含む。
【００３１】
図６は、装置１０のユーザのための画像をディスプレイ１４のピクセルアレイ９２に表示するのに使用される例示的回路を示す装置１０の図である。図６に示すように、ディスプレイ１４は、アレイ９２のデータラインＤへデータ信号（アナログ電圧）を駆動する列ドライバ回路１２０を有する。ゲートドライバ回路１１８は、アレイ９２のゲートラインＧへゲートライン信号を駆動する。データライン及びゲートラインを使用して、表示ピクセル５２は、ユーザのためにディスプレイ１４に画像を表示するように構成される。ゲートドライバ回路１１８は、ガラス又はプラスチックディスプレイ基板のようなディスプレイ基板に薄膜トランジスタ回路を使用して実施されるか、或いはディスプレイ基板にマウントされ又は柔軟な印刷回路又は他の接続層によってディスプレイ基板に取り付けられる集積回路を使用して実施される。列ドライバ回路１２０は、ディスプレイ基板にマウントされる１つ以上の列ドライバ集積回路を使用して実施されるか、又は他の基板にマウントされた列ドライバ回路を使用して実施される。
【００３２】
装置１０の動作中に、ストレージ及び処理回路４０は、ディスプレイ１４に表示されるべきデータを発生する。この表示データは、グラフィック処理ユニット１２４を使用してタイミングコントローラ集積回路１２６のようなディスプレイコントロール回路へ供給される。
【００３３】
タイミングコントローラ１２６は、経路１２８を使用して列ドライバ回路１２０へデジタル表示データを供給する。列ドライバ回路１２０は、タイミングコントローラ１２６からデジタル表示データを受け取る。列ドライバ回路１２０内のデジタル／アナログコンバータ回路を使用して、列ドライバ回路１２０は、それに対応するアナログ出力信号を、アレイ９２の表示ピクセル５２の列に沿って延びるデータラインＤに供給する。
【００３４】
ストレージ及び処理回路４０、グラフィック処理ユニット１２４、及びタイミングコントローラ１２６は、総体的に、ディスプレイコントロール回路３０と称される。このディスプレイコントロール回路３０は、ディスプレイ１４の動作をコントロールするのに使用される。
【００３５】
各ピクセル５２は、必要に応じて、赤（Ｒ）ピクセル、緑（Ｇ）ピクセル、青（Ｂ）ピクセル、白（Ｗ）ピクセル、又は別の色のピクセルのようなカラーピクセルである。カラーピクセルは、特定の色の光を透過するカラーフィルタエレメントを含むか、又は所与の色の光を放射する放射エレメントで形成される。ピクセル５２は、適当な色のピクセルを含む。例えば、ピクセル５２は、シアン、マゼンタ及びイエローピクセルのパターンを含むか、或いは他の適当なカラーパターンを含む。ここでは、ピクセル５２が赤、緑及び青ピクセルのパターンを含む構成を、時々、一例として説明する。
【００３６】
ディスプレイ１４に関連したディスプレイコントロール回路３０及びその関連薄膜トランジスタ回路は、ピクセル５２を動作する（例えば、ピクセル５２をターンオン及びオフし、ピクセル５２の強度を調整し、等々）ためのデータ信号及びゲートライン信号のような信号を発生するのに使用される。動作中に、ディスプレイコントロール回路３０は、データ信号及びゲート信号の値をコントロールして、各表示ピクセルに関連した光の強度をコントロールし、それにより、ディスプレイ１４に画像を表示する。
【００３７】
ディスプレイコントロール回路３０は、所与のピクセルにより表示されるべき色に対応する赤、緑及び青のピクセル値（ＲＧＢ値又はデジタル表示コントロール値とも称される）を得る。ＲＧＢ値は、各ピクセルの輝度をコントロールするためのアナログ表示信号へ変換される。ＲＧＢ値（例えば、０から２５５までの範囲の値をもつ整数）は、各ピクセルの望ましいピクセル強度に対応する。例えば、０のデジタル表示コントロール値は、「オフ」ピクセルを生じ、一方、２５５のデジタル表示コントロール値は、利用可能な最大電力で動作するピクセルを生じる。
【００３８】
これらは、各カラーチャンネルが８つの専用ビットを有する例に過ぎないことが明らかである。別の実施形態では、カラーチャンネル当たりより多数のビット又はより少数のビットが使用される。例えば、各色は、必要に応じて、６つの専用ビットを有してもよい。このタイプの構成では、ＲＧＢ値は、０から６４までの範囲の１組の整数である。各カラーチャンネルが８つの専用ビットを有する構成は、ここでは、一例として説明される。
【００３９】
図６に示したように、ディスプレイコントロール回路３０は、入力／出力回路３２から情報を収集し、周囲光条件に基づいて表示光をどのように調整するか適応的に決定する。例えば、ディスプレイコントロール回路３０は、１つ以上の光センサ（例えば、周囲光センサ、光メータ、カラーメータ、色温度計及び／又は他の光センサ）からの光情報、クロック、カレンダー、及び／又は他の時間ソースからの時間情報、位置検出回路（例えば、グローバルポジショニングシステム受信回路、ＩＥＥＥ  ８０２．１１トランシーバ回路又は他の位置検出回路）からの位置情報、タッチスクリーン（例えば、タッチスクリーンディスプレイ１４）又はキーボードのようなユーザ入力装置からのユーザ入力情報、等を収集する。ディスプレイコントロール回路３０は、ディスプレイ１４から放射される表示光を入力／出力回路３２からの情報に基づいて調整する。
【００４０】
カラー光センサ及びカメラのような光センサは、異なる方向からの光を検出するために、必要に応じて、電子装置１０上の異なる位置に分散される。加速度計及び／又はジャイロスコープのような他のセンサは、異なる光センサからのセンサデータをどのように重み付けするか決定するのに使用される。例えば、電子装置１０がディスプレイ１４を上に向けてテーブルに平らに配置されたことをジャイロスコープセンサのデータが指示する場合には、電子装置１０は、（例えば、電子装置１０の裏面における）後部光センサによって収集される光センサデータを使用してはならないと決定する。
【００４１】
ディスプレイコントロール回路３０は、ディスプレイ１４からの出力を、周囲光条件に基づいて適応的に調整するように構成される。ディスプレイ１４からの出力を調整する際に、ディスプレイコントロール回路３０は、人間の視覚系統の色彩適応機能を考慮に入れる。これは、例えば、ユーザの目が曝される光の特性を決定することを含む。
【００４２】
図７は、人間の視覚の色彩適応を考慮しない従来のディスプレイを使用する効果を示す図である。シナリオ４６Ａでは、ユーザ４４は、発光体４２（例えば、暖色系の光を発生する屋内光源）のもとで外部物体４８を観察する。ユーザ４４の視覚は、周囲光条件の色及び輝度に適応する。シナリオ４６Ｂは、ユーザが発光体４２の周囲光に適応した後に装置１００のディスプレイ１４０からの光をどのように認知するか示している。装置１００は、人間の視覚の色彩適応を考慮していないので、ディスプレイ１４０は、ユーザ４４にとって青みを帯びて見苦しく見える。
【００４３】
ディスプレイ１４の認知変色を回避するために、図６のディスプレイコントロール回路３０は、周囲光条件に基づいてディスプレイ１４からの出力を調整し、ユーザの視覚が異なる周囲光条件に適応するときでも望ましい認知見掛けを維持するようにする。
【００４４】
ユーザの視覚系統の色彩適応は、ユーザ付近の光源により決定される。しかしながら、電球及び太陽のような光源は、色彩適応に唯一貢献するものではない。ディスプレイ１４は、それ自体発光体であるから、ディスプレイ１４から放射される光も、ユーザの視覚系統の色彩適応に貢献する。ユーザの視覚がその周囲光（例えば、ディスプレイ１４以外の光源により発生される）に適応される量に比して、ユーザの視覚が表示光に適応される量は、種々のファクタに依存する。例えば、ユーザの目とディスプレイとの間の距離が減少されるにつれて、表示光がユーザの色彩適応に及ぼす効果は、周囲光に対して増加する。ユーザ周囲の周囲光の輝度が高くなるにつれて、周囲光がユーザの色彩適応に及ぼす効果は、表示光に対して増加する。
【００４５】
ディスプレイコントロール回路３０は、ユーザが適応される光を特徴付けるとき表示光を他の周囲光源に対してどれほど強く重み付けすべきか決定するために「適応ファクタ」Ｒadpを使用する。ユーザの視覚が（例えば、ユーザが暗い部屋でディスプレイ１４を見ているとき）周囲の光源からの周囲光に適応されずに表示光に完全に適応されると仮定すれば、適応ファクタは、１に等しい。逆に、ユーザの視覚が表示光に適応されずに周囲光に完全に適応されると仮定すれば、適応ファクタは、０に等しい。
【００４６】
又、コントロール回路３０は、ユーザの色彩適応を受け容れるために表示光をどのように調整する必要があるか決定するために適応ファクタを使用する。適応ファクタは、ユーザの好み、ユーザの入力、接近センサのデータ（例えば、ユーザの目がディスプレイ１４からどれほど離れているかを示す接近データ）、周囲光センサのデータ（例えば、装置１０の付近の周囲光の輝度を示す周囲光センサのデータ）、及び／又は他のファクタに基づいて決定される。
【００４７】
適応ファクタは、（例えば、ディスプレイ１０の動作中に）オンザフライで決定されるか、又は（例えば、主観的なユーザの研究を使用して）製造中に決定されて電子装置１０に記憶される。必要があれば、特定の１組の周囲光条件及び表示条件に各々関連した所定の１組の適応ファクタが電子装置１０に記憶され、そしてディスプレイコントロール回路３０は、どの適応ファクタを使用すべきかを、現在の周囲光条件及び表示条件に基づいてオンザフライで決定する。これは、例えば、電子装置１０に記憶された所定の適応ファクタに基づいて適応ファクタを補間することを含む。
【００４８】
コントロール回路３０は、適応ファクタを使用して、ディスプレイ１４のための目適応中性ポイントを決定すると共に、目適応中性ポイントに基づいて表示光を調整する。ディスプレイの中性ポイントは、そのピクセルのための入力ＲＧＢ値が等しいときに（即ち、Ｒ＝Ｂ＝Ｇのときに）ピクセルにより発生されるべきターゲットカラーを指す（ここで、Ｒ、Ｇ及びＢは、所与のピクセルに与えられるデジタル表示コントロール値を表す）。
【００４９】
従来のディスプレイでは、ディスプレイの中性ポイントが固定され、そして典型的に、ディスプレイの白ポイントと称される。固定の中性ポイントをもつディスプレイは、あるシナリオでは、充分な色を発生するが、他のシナリオでは、ユーザの視覚が異なる周囲光条件に適応されるので充分な色が発生しない。
【００５０】
周囲光条件に少なくとも一部分基づいて決定される適応中性ポイントをディスプレイ１４がどのように有するかを示す色度図が図８に示されている。図８の色度図は、三次元色空間の二次元投影を示す。ディスプレイ１４のようなディスプレイによって発生される色は、色度値ｘ及びｙで表される。色度値は、例えば、赤、緑、及び青の光の強度のような３つの色強度（例えば、ディスプレイにより放射される着色光の強度）を３つの三刺激値Ｘ、Ｙ及びＺへ変換し、そして最初の２つの三刺激値Ｘ及びＹを正規化する（例えば、ｘ＝Ｘ／（Ｘ＋Ｙ＋Ｚ）及びｙ＝Ｙ／（Ｘ＋Ｙ＋Ｚ）を計算して、正規化されたｘ及びｙ値を得る）ことにより計算される。色強度を三刺激値へ変換することは、インターナショナル・コミッション・オン・イルミネーション（ＣＩＥ）により定義された変換を使用して遂行されるか、又は三刺激値を計算するための他の適当なカラー変換を使用して遂行される。
【００５１】
それ故、ディスプレイにより発生される色は、図８に示す色度図上のポイントにより（例えば、色度値ｘ及びｙにより）表される。
【００５２】
ディスプレイ１４は、白ポイントのようなカラー性能統計値によって特徴付けされる。所与のディスプレイの白ポイントは、ディスプレイがフルパワーで利用可能な全ての表示色を発生するときディスプレイにより発生される色を表す１組の色度値により共通に定義される。校正中に修正を行う前に、ディスプレイの白ポイントは、そのディスプレイの「ネーティブ白ポイント」と称される。例えば、図８のポイント５４は、ディスプレイ１４のネーティブ白ポイントを表す。
【００５３】
ディスプレイ間の製造上の相違により、ディスプレイのネーティブ白ポイントは、ディスプレイの校正前には、ディスプレイの望ましい（ターゲット）白ポイントとは異なる。ターゲット白ポイントは、基準の白（例えば、標準ディスプレイにより発生される白、インターナショナル・コミッション・オン・イルミネーション（ＣＩＥ）のＤ６５発光体のような標準発光体に関連した白、ディスプレイの中心に発生される白）に関連した１組の色度値によって定義される。一般的に、任意の適当な白ポイントがディスプレイのためのターゲット白ポイントとして使用される。図８のポイント６８は、ディスプレイ１４のターゲット又は基準白ポイントを表す。
【００５４】
あるシナリオでは、ディスプレイコントロール回路３０は、基準白ポイント６８をディスプレイ１４の中性ポイントとして使用する。他のシナリオでは、ディスプレイコントロール回路３０は、周囲光条件及び人間の視覚系統の色彩適応を考慮に入れる目適応中性ポイントを決定する。目適応中性ポイントを決定することは、ディスプレイコントロール回路３０が部分適応中性ポイント（例えば、図８のポイント５６）を決定する第１プロセスと、ディスプレイコントロール回路３０が最終適応中性ポイント（図８のポイント５８又はポイント６０）を決定する第２プロセスとを含む。
【００５５】
部分適応中性ポイント５６は、ディスプレイ１４からの表示光に対するユーザの視覚系統の色彩適応に基づき決定される（例えば、ユーザ付近の他の光源の影響を無視して）。中性ポイント５６は、表示光に対する色彩適応を補償するが、他の光源の影響をまだ考慮しないので、中性ポイント５６は、「部分適応」中性ポイントとも称される。
【００５６】
部分適応中性ポイント５６を決定した後、ディスプレイコントロール回路３０は、混合周囲光（ディスプレイ１４により発生される光、及び太陽、ランプ、等の他の光源により発生される光）の影響を考慮に入れることにより最終的な目適応中性ポイントを決定する。例えば、第１の周囲発光体（図８のポイント６４で示す）のもとで、コントロール回路３０は、第１の目適応中性ポイント（図８のポイント５８で示す）を決定する。第２の周囲発光体（図８のポイント６２で示す）のもとで、コントロール回路３０は、第２の目適応中性ポイント（図８のポイント６０で示す）を決定する。最終的な目適応中性ポイントは、部分適応中性ポイント５６、適応ファクタＲadp及び周囲光に基づいて決定される。
【００５７】
ディスプレイ１４の中性ポイントを周囲光条件に基づいて調整することにより、ユーザが認知する色は、ユーザの視覚が異なる周囲光条件に色彩的に適応するのと同時に、異なる周囲光条件に適応する。例えば、発光体２は、屋内光源に対応し、一方、発光体１は、日光に対応する。発光体２は、発光体１よりも色温度が低く、それ故、暖色系の光を放射する。暖色系の周囲光では（例えば、発光体２のもとでは）、ディスプレイコントロール回路３０は、表示の中性ポイントを適応中性ポイント６０に調整し、基準白ポイント６８がターゲット中性ポイントとして維持される場合に発生するものより暖色系の光（即ち、色温度の低い光）を発生する。
【００５８】
異なる周囲光条件において認知される色ずれを回避する上で助けとなるのに加えて、このタイプの適応画像調整は、人間の概日リズムに対しても有益な効果を有する。人間の概日系統は、異なる波長の光に対して異なる応答をする。例えば、ユーザが特定範囲内のピーク波長を有する青い光に曝されたとき、ユーザの概日系統が活性化され、そしてメラトニンの発生が抑制される。他方、ユーザがこの波長範囲外の光に曝されたとき又は青色の光が抑制されるとき（例えば、赤い光に比して）、ユーザのメラトニン発生が増加されて、身体に夜間であることを信号する。
【００５９】
従来のディスプレイは、人間の概日リズムのスペクトル感度を考慮していない。例えば、あるディスプレイは、１日の時刻に関わりなく概日系統をトリガーするスペクトル特性を有する光を放射し、これは、次いで、睡眠の質に悪影響を及ぼす。
【００６０】
対照的に、図８に関連して述べる画像調整方法を使用することにより、ディスプレイ１４の中性ポイントは、暖色系の周囲光条件においてより暖色となる（例えば、スペクトルの黄色部分の傾向となる）。従って、ユーザが夕刻家にいる（例えば、暖色系の周囲光で読んでいる）とき、ディスプレイ１４から放射される青色の光は、ディスプレイが周囲光条件に適応するときに抑制される。青色の光の減少は、次いで、ユーザのメラトニン発生の抑制を減少し（又はあるシナリオでは、ユーザのメラトニン発生を高め）、良い睡眠を促進する。
【００６１】
図９は、周囲光条件に基づくと共に人間の視覚系統の色彩適応に基づいてディスプレイ１４からの出力を調整するのに含まれる例示的ステップのフローチャートである。
【００６２】
ステップ２００において、ディスプレイコントロール回路３０は、到来するＲＧＢデジタル表示コントロール値を、既知の変換マトリクス（例えば、標準的な３×３変換マトリクス）を使用してＸＹＺ三刺激値へ変換する。
【００６３】
ステップ２０２において、ディスプレイコントロール回路３０は、ＸＹＺ三刺激値を、既知の変換マトリクス（例えば、ブラッドフォード変換マトリクスのような標準的な３×３変換マトリクス、ＣＩＥＣＡＭ０２カラーアピアランスモデルからの色彩適応マトリクス、又は他の適当な変換マトリクス）を使用して、ＬＭＳ錐体値へ変換する。ＬＭＳ色空間は、人間の目の３つのタイプの錐体の応答により表される。第１のタイプの錐体は、長い波長の光に敏感であり、第２のタイプの錐体は、中程度の波長の光に敏感であり、そして第３のタイプの錐体は、短い波長の光に敏感である。人間の視覚系統がカラー画像を処理するとき、その画像は、目の長い、中程度の及び短い錐体光受容体により登録される。それ故、画像の中性表現は、３つの個別の画像平面により表される。到来する表示データをＬＭＳ色空間へ変換することにより、ディスプレイコントロール回路３０は、各画像平面に対する周囲光の影響を別々に特徴付けそして補償することができる。
【００６４】
ステップ２０４において、ディスプレイコントロール回路３０は、目適応中性ポイントを決定し、そしてその目適応中性ポイントを、次の式を使用して、ＬＭＳ錐体信号に適用する。
2016095487.tif 000003
ここで、ＣL、ＣM及びＣSは、ＬＭＳ色空間における目適応中性ポイントを表し、Ｌ、Ｍ及びＳは、ＬＭＳ色空間における入力ピクセル値を表し、Ｌ’、Ｍ’及びＳ’は、ＬＭＳ色空間における適応ピクセル値を表す。目適応中性ポイントは、図１０を参照して詳細に説明する。
【００６５】
ステップ２０６において、ディスプレイコントロール回路３０は、ステップ２０２で述べた標準マトリクスを使用して、適応ＬＭＳ値Ｌ’、Ｍ’及びＳ’を適応ＸＹＺ三刺激値Ｘ’、Ｙ’及びＺ’へ変換する（例えば、ＸＹＺ三刺激値をＬＭＳ錐体値へ変換するのに使用される変換マトリクスの逆）。
【００６６】
必要に応じて、ステップ２０６は、次の式を使用して周囲光の反射率を適応ＸＹＺ三刺激値から減算するコントラスト補償ステップを含む。
2016095487.tif 000004
ここで、Ｘ’、Ｙ’及びＺ’は、コントラスト補償前の適応ＸＹＺ三刺激値であり；Ｘa、Ｙa及びＺaは、コントラスト変化について補償された適応ＸＹＺ三刺激値であり；Ｒx、Ｒy及びＲzは、反射ファクタを表し（例えば、ディスプレイにおける周囲光の反射量を表し）；そしてＸ(ambient)、Ｙ(ambient)及びＺ(ambient)は、周囲光に関連した三刺激値（例えば、電子装置１０の光センサにより測定された）を表す。
【００６７】
ステップ２０８において、ディスプレイコントロール回路３０は、ステップ２００で述べた標準マトリクスを使用して、適応ＸＹＺ三刺激値を適応ＲＧＢ値へ変換する（例えば、ＲＧＢピクセル値をＸＹＺ三刺激値へ変換するのに使用される変換マトリクスの逆）。
【００６８】
動作ステップ２１０において、ディスプレイコントロール回路３０は、異なる照明条件にユーザが適応する速度に対して早過ぎずに又は遅過ぎずに画像の調整を行うよう保証するように一時的フィルタを適応ＲＧＢ値に適用する。色彩適応のタイミングに基づきコントロールされた間隔で表示画像を調整することで、周囲光条件が変化するときにユーザが表示光の鋭い変化を認知しないように保証する。
【００６９】
ステップ２１２において、ディスプレイコントロール回路３０は、適応ＲＧＢ値をディスプレイ１４のピクセルアレイ（例えば、図６のピクセルアレイ９２）へ出力し、ディスプレイ１４に画像を表示する。
【００７０】
あるシナリオでは、目適応中性ポイントがディスプレイの元の白ポイントからずれる。注意を払わず、目適応中性ポイントがディスプレイの白ポイントから著しくずれる場合には、所与の色を表すのに充分なビットでないためにカラーバンディングのようなアーティファクトが生じる。そのようなアーティファクトを回避するために、ディスプレイコントロール回路３０は、ＲＧＢピクセル値の切頭レベルに制約を課することがある。例えば、赤、緑又は青のピクセル値を切頭できる最小デジタル表示コントロール値は、２４０、２３０、２２０、又は他の適当な値にセットされる。
【００７１】
ディスプレイ１４からの出力がデジタルドメインにおいて調整される図９に関連して述べた例は、単なる例示に過ぎない。必要に応じて、ディスプレイ１４からの出力は、アナログドメインにおいて、色ごとに駆動電圧をチューニングすることにより調整することができる。これは、次いで、色のビット深さを維持できるようにする。
【００７２】
必要に応じて、ディスプレイ１４における画像の望ましい見掛けを得るために電子装置１０の他の出力ソースを調整することもできる。例えば、ユーザの視覚系統の色彩適応に対する望ましい効果を達成し及び／又はユーザへのディスプレイ１４の見掛けをコントロールする仕方を調整するために、電子装置１０の他の光源（例えば、カメラのフラッシュに関連した光源又は他の適当な光源）をターンオンすることができる。暗い周囲光条件では、カメラのフラッシュに関連した光源は、電子装置１０及びユーザの周りの空間を照明し、従って、ディスプレイ１４の画像の認知される質を改善するのに使用される。補助光源の色及び輝度は、センサ入力に基づき及び／又はユーザからの入力に基づいて調整される。
【００７３】
図１０は、ディスプレイ１４の目適応中性ポイントが周囲光条件及び人間の視覚システムの色彩適応に基づいて決定される図９のステップ２０４に含まれる例示的ステップのフローチャートである。
【００７４】
ステップ３００において、ディスプレイコントロール回路３０は、装置１０の種々のソースからユーザコンテキスト情報を収集する。例えば、ディスプレイコントロール回路３０は、１つ以上の光センサ（例えば、周囲光センサ、光メータ、カラーメータ、色温度計、及び／又は他の光センサ）からの光情報、接近センサからの接近情報、装置１０のクロック又はカレンダーアプリケーションからの時刻、日付及び／又は季節情報、グローバルポジショニングシステム受信回路、ＩＥＥＥ８０２．１１トランシーバ回路、又は装置１０の他の位置検出回路からの位置情報、タッチスクリーン（例えば、タッチスクリーンディスプレイ１４）又はキーボードのようなユーザ入力装置からのユーザ入力情報、電子装置１０に記憶されたユーザ好み情報、及び／又は電子装置１０の他のソースからの情報を収集する。
【００７５】
ステップ３０２において、ディスプレイコントロール回路３０は、ユーザコンテキスト情報に基づいて適応ファクタＲadpを決定する。Ｒadpは、０から１の範囲のファクタであり、１の適応ファクタは、ユーザが他の光源に適応せずに完全に表示光に適応されることを想定している（例えば、ディスプレイ１４が暗い室内にあるとき）。又、０の適応ファクタは、ユーザがディスプレイ１４により放射される光に適応せずに完全に周囲光に適応されることを想定している。
【００７６】
適応ファクタは、（例えば、ディスプレイ１０の動作中に）オンザフライで決定されるか、又は（例えば、主観的なユーザの研究を使用して）製造中に決定されて電子装置１０に記憶される。例えば、ユーザの目とディスプレイとの間の距離が約５インチであるときにはユーザの好ましい平均適応ファクタＲadpが０．６であることが研究により示されている。必要に応じて、特定の１組の周囲光条件及び表示条件に各々関連した所定の１組の適応ファクタが電子装置１０に記憶され、そしてディスプレイコントロール回路３０は、どの適応ファクタを使用すべきかを、現在の周囲光条件及び表示条件に基づいてオンザフライで決定する。これは、例えば、電子装置１０に記憶された所定の適応ファクタに基づいて適応ファクタを補間することを含む。
【００７７】
必要に応じて、ユーザは、適応ファクタを手動で選択し及び／又は調整することができる。例えば、電子装置１０は、ペーパーモード、ハイブリッドモード及び通常モードのようなユーザ選択可能な異なるモードで動作する。通常モードでは、適応ファクタは、ディスプレイの中性ポイントがターゲット白ポイントに維持されるように１にセットされる。ペーパーモードでは、適応ファクタは、ディスプレイの中性ポイントが周囲光条件に対して適応的に調整されるように０にセットされる。ハイブリッドモードでは、適応ファクタは、ディスプレイの中性ポイントがディスプレイの白ポイント及び周囲光条件の両方に依存するように０と１との間のある値（例えば、０．６、０．５、０．４、等）にセットされる。ユーザ選択可能なモードは、例えば、ユーザが３つのモードのうちのいずれか１つを選択するか又は３つの指定モード間のいずれかのモードを選択するようにディスプレイ上にスライディングバーとして提示される。
【００７８】
適応ファクタは、例えば、ステップ３００で収集された接近センサデータ及び光センサデータに基づく。例えば、接近センサデータは、ユーザの目とディスプレイ１４との間の距離を決定するのに使用され、これは、次いで、ユーザの色彩適応に対する表示光の相対的な作用を決定するのに使用される。光センサデータは、ユーザの周囲における周囲光の輝度を決定するのに使用され、これは、次いで、ユーザの色彩適応に対する周囲光の相対的な作用を決定するのに使用される。
【００７９】
ステップ３０４において、ディスプレイコントロール回路３０は、ディスプレイのネーティブ白ポイント及び基準白ポイントに基づき部分適応中性ポイントを決定する。図８を参照して述べたように、これは、ディスプレイの白ポイント５４及び基準白ポイント６８に基づき部分適応中性ポイント５６を決定することを含む。次の式は、部分適応中性ポイントＬ’n、Ｍ’n、Ｓ’nをどのように決定するかの一例を示す。
2016095487.tif 000005
ここで、Ｌ’n、Ｍ’n、Ｓ’nは、部分適応中性ポイント（図８のポイント５６）に関連したＬＭＳ錐体値に対応し；Ｌn、Ｍn、Ｓnは、ディスプレイの白ポイント（図８のポイント５４）に関連したＬＭＳ錐体値に対応し；そしてＰL、ＰM、ＰSは、ＬＭＳ色空間における部分適応ファクタに対応する。ＰL、ＰM、ＰSは、ディスプレイ１４の基準白ポイント（例えば、図８のポイント６８）に基づいて決定される。ステップ３０４で決定された部分適応中性ポイントは、表示光に対するユーザの視覚系統の色彩適応を補償するのに使用される。この補償は、ユーザ付近の他の光源に対する色彩適応をまだ考慮していないので、このステップは、「不完全な」適応補償とも称される。
【００８０】
ステップ３０６において、ディスプレイコントロール回路３０は、ステップ３０４で決定された部分適応中性ポイント、ステップ３０２で決定された適応ファクタ、及びステップ３００で収集された周囲光情報に基づいて最終的適応中性ポイントを決定する。次の式は、最終的な適応中性ポイントＬ”n、Ｍ”n、Ｓ”nをどのように決定するかの一例を示す。
2016095487.tif 000006
ここで、Ｌ”n、Ｍ”n、Ｓ”nは、最終的な適応中性ポイント（例えば、図８のポイント５８又は６０）に関連したＬＭＳ錐体値に対応し、Ｌ’n、Ｍ’n、Ｓ’nは、部分適応中性ポイント（図８のポイント５６）に関連したＬＭＳ錐体値に対応し、Ｒadpは、ステップ３０２で決定された適応ファクタであり、Ｌn(Ambient)、Ｍn(Ambient)、Ｓn(Ambient)及びＹn(Ambient)は、測定された周囲光（例えば、ステップ３００で決定された）に関連したＬＭＳ錐体値及び輝度値に対応し、そしてＹ’nは、ディスプレイにおける周囲光の反射について調整されたディスプレイ１４の最大輝度に対応する。
【００８１】
必要があれば、最終的な適応中性ポイントは、ユーザの概日リズムに対する望ましい効果を達成するために１日の時刻に少なくとも部分的に基づく。例えば、１日の時刻（又はステップ３００の間に収集される他の情報）に基づき、ディスプレイコントロール回路３０は、最終的な適応中性ポイントが（例えば、昼間にユーザのメラトニンの発生を抑制しなければならないときに）スペクトルの青部分を向く傾向がなければならず、又は最終的な適応中性ポイントが（例えば、夕刻にユーザのメラトニンレベルを抑制してはならないときに）スペクトルの黄色部分を向く傾向がなければならないことを決定する。夕刻に青い光を減少すると、ユーザのメラトニン発生の抑制を低減し（又はあるシナリオでは、ユーザのメラトニンの発生を高め）、良い睡眠を促進する。
【００８２】
一実施形態によれば、表示光を放射するディスプレイの表示ピクセルのアレイに画像を表示する方法において、ディスプレイコントロール回路で、光センサからの周囲光情報を収集し；その周囲光情報に基づき周囲光へのユーザの色彩適応に対して表示光へのユーザの色彩適応を重み付けする適応ファクタを決定し；その適応ファクタに基づき中性カラーを決定し；及びその中性カラーに基づいて入力ピクセル値を調整して、適応入力ピクセル値を得る；ことを含む方法が提供される。
【００８３】
別の実施形態によれば、適応ファクタを決定することは、表示光の輝度に基づいて適応ファクタを決定することを含む。
【００８４】
別の実施形態によれば、適応ファクタは、０から１の範囲の値である。
【００８５】
別の実施形態によれば、前記方法は、ユーザとディスプレイスクリーンとの間の距離を指示する接近センサデータを接近センサから収集することを含み、前記適応ファクタは、前記距離に基づく。
【００８６】
別の実施形態によれば、周囲光情報は、周囲光の測定輝度レベルを指示し、そして適用ファクタは、その測定輝度レベルに基づく。
【００８７】
別の実施形態によれば、ディスプレイは、第１及び第２のユーザ選択可能なモードで動作でき、そして適応ファクタは、ディスプレイが第１モードで動作するか又は第２モードで動作するかに基づく。
【００８８】
別の実施形態によれば、前記方法は、１日の時刻を決定することを含み、前記中性色の決定は、１日の時刻に基づいて中性色を決定することを含む。
【００８９】
別の実施形態によれば、前記方法は、適応入力ピクセル値に一時的なフィルタを適用することを含む。
【００９０】
別の実施形態によれば、周囲光情報は、周囲光の色を指示し、そして前記中性色を決定することは、周囲光の色に基づいて中性色を決定することを含む。
【００９１】
別の実施形態によれば、入力ピクセル値を調整することは、ＬＭＳ色空間において入力ピクセル値を調整することを含む。
【００９２】
一実施形態によれば、周囲光を検出する少なくとも１つの光センサと；少なくとも第１及び第２のユーザ選択可能なモードで動作できるディスプレイであって、第１モードにおいてディスプレイにより表示される色は周囲光に基づいて決定されそして第２モードにおいてディスプレイにより表示される色は周囲光とは独立して決定されるようなディスプレイと；そのディスプレイが第１モードで動作されるときに周囲光に基づいて入力ピクセル値を調整するディスプレイコントロール回路と；を備えた電子装置が提供される。
【００９３】
別の実施形態によれば、ディスプレイは、第１モードで動作されるときには第１セットの特性を有する中性色を表示し、そして第２モードで動作されるときには第２セットの特性を有する中性色を表示し、第１セットの特性は、第２セットの特性とは異なる。
【００９４】
別の実施形態によれば、光センサは、周囲光が寒色系か暖色系かを検出するカラー光センサを含む。
【００９５】
別の実施形態によれば、第１モードで動作するディスプレイは、周囲光が暖色系であるときに暖色系の光で中性色を表示し、そして周囲光が寒色系であるときには寒色系の光で中性色を表示する。
【００９６】
別の実施形態によれば、電子装置は、ジャイロスコープを備え、少なくとも１つの光センサは、周囲光センサデータを収集する複数の光センサを含み、そしてディスプレイコントロール回路は、ジャイロスコープを使用して、複数の光センサからの周囲光センサデータをどのように重み付けするか決定する。
【００９７】
一実施形態によれば、ディスプレイの表示ピクセルのアレイに画像を表示する方法において、ディスプレイコントロール回路で、光センサからの周囲光情報を収集し、その周囲光情報は、周囲光が第１の色温度を有する光を放射する第１の光源により支配されるか又は第２の色温度を有する光を放射する第２の光源により支配されるかを指示し、第１の色温度は、第２の色温度より低く；及び周囲光が第１の光源により支配されることを周囲光情報が指示するときには第１の色の光を使用し、そして周囲光が第２の光源により支配されることを周囲光情報が指示するときには第２の色の光を使用して、ディスプレイコントロール回路で、ディスプレイを動作して中性色を表示し、第１の色の光は、第２の色の光より色温度が低い；ことを含む方法が提供される。
【００９８】
別の実施形態によれば、第１の光源は、屋内光源であり、そして第２の光源は、昼光である。
【００９９】
別の実施形態によれば、中性色を表示するのに使用される第２の色の光は、所定ターゲットの白ポイントに基づく。
【０１００】
別の実施形態によれば、中性色を表示するのに使用される第１の色の光は、周囲光情報を使用してオンザフライで決定される適応中性ポイントに基づく。
【０１０１】
別の実施形態によれば、前記方法は、接近センサで、ディスプレイに対するユーザの接近度を検出することを含み、中性色を表示するのに使用される第１の色の光は、ディスプレイに対するユーザの接近度に基づく。
【０１０２】
以上、本発明の原理を例示したが、当業者であれば、本発明の範囲及び精神から逸脱せずに種々の変更がなされ得ることが明らかであろう。以上の実施形態は、ここに具現化されてもよいし、又は組み合わせて具現化されてもよい。
【符号の説明】
【０１０３】
１０：電子装置
１２：ハウジング
１２Ａ：上部
１２Ｂ：下部
１４：ディスプレイ
１８：キーボード
２０：タッチパッド
２２：ボタン
２４：スピーカポート
２６：スタンド
３２：入力／出力回路
３４：通信装置
３６：入力／出力装置
３８：センサ
４０：ストレージ及び処理回路
１１８：ゲートドライバ
１２０：列ドライバ
１２４：グラフィック処理ユニット
１２８：タイミングコントローラ
【図１】
2016095487.tif 000007
【図２】
2016095487.tif 000008
【図３】
2016095487.tif 000009
【図４】
2016095487.tif 000010
【図５】
2016095487.tif 000011
【図６】
2016095487.tif 000012
【図７】
2016095487.tif 000013
【図８】
2016095487.tif 000014
【図９】
2016095487.tif 000015
【図１０】
2016095487.tif 000016
【外国語明細書】
2016095487000001.pdf